(57)【要約】      （修正有）【課題】時間帯によらず有効に使用することが可能な看板装置を提供すること。【解決手段】看板本体２と、看板本体２の情報表示面２ａに設置されたＬＥＤディスプレイ装置２００と、を備え、ＬＥＤディスプレイ装置２００は、透明なＬＥＤ基板１０と、ＬＥＤ基板１０の主面に設けられた複数のＬＥＤ素子と、ＬＥＤ素子を有する複数の画素と、複数の画素で構成され、映像を表示する表示部と、を備え、ＬＥＤディスプレイ装置２００は、接着層を備え、接着層を介して情報表示面２ａと接着している。【選択図】図１
0003210218.tif 000002
【実用新案登録請求の範囲】
【請求項１】
看板本体と、
前記看板本体の情報表示面に設置されたＬＥＤディスプレイ装置と、
を備え、
前記ＬＥＤディスプレイ装置は、
透明なＬＥＤ基板と、
前記ＬＥＤ基板の主面に設けられた複数のＬＥＤ素子と、
前記ＬＥＤ素子を有する複数の画素と、
前記複数の画素で構成され、映像を表示する表示部と、を備えている、
看板装置。
【請求項２】
請求項１に記載の看板装置において、
前記ＬＥＤディスプレイ装置は、接着層を備え、前記接着層を介して前記情報表示面と接着している、
看板装置。
【請求項３】
請求項１に記載の看板装置において、
前記看板本体には、前記情報表示面を取り囲む保持部材が設けられ、
前記ＬＥＤディスプレイ装置は、前記保持部材により保持されている、
看板装置。
【請求項４】
請求項３に記載の看板装置において、
前記保持部材は、アルミニウムを主原料として構成されている、
看板装置。
【請求項５】
請求項１に記載の看板装置において、
前記ＬＥＤディスプレイ装置は、
前記ＬＥＤ基板に設けられ、それぞれの前記ＬＥＤ素子と接続されたデータ線及び電源線が配置されたコネクタと、
前記コネクタと対応するソケットと、前記ソケット及び前記コネクタを介して前記データ線及び前記電源線に所定の信号を出力する制御部と、を有する制御基板と、
を備えている、
看板装置。
【請求項６】
請求項５に記載の看板装置において、
前記コネクタは、前記ＬＥＤ基板の前記主面に沿って前記ＬＥＤ基板から突出している、
看板装置。
【請求項７】
請求項５に記載の看板装置において、
前記制御基板は、前記情報表示面以外の前記看板本体に設置されている、
看板装置。
【請求項８】
請求項５に記載の看板装置において、
前記ＬＥＤ基板は、複数の前記コネクタを有し、
前記制御基板は、前記複数のコネクタのそれぞれと対応する複数の前記ソケットを備えている、
看板装置。
【請求項９】
請求項８に記載の看板装置において、
前記ＬＥＤ基板は、平面視において矩形状に構成され、
複数の前記コネクタは、前記ＬＥＤ基板の一辺に沿って設けられ、
前記制御基板は、前記ＬＥＤ基板の前記一辺に沿って延在し、前記複数のコネクタのそれぞれと対応する前記複数のソケットを備えている、
看板装置。
【請求項１０】
請求項１に記載の看板装置において、
前記情報表示面に、複数の前記ＬＥＤディスプレイ装置が設けられている、
看板装置。
【請求項１１】
請求項１０に記載の看板装置において、
前記複数のＬＥＤディスプレイ装置は、それぞれの前記表示部が隣接するように配置されている、
看板装置。
【請求項１２】
請求項５に記載の看板装置において、
前記コネクタは、前記ＬＥＤ基板と一体で構成されている、
看板装置。
【請求項１３】
請求項１に記載の看板装置において、
前記ＬＥＤ基板が可撓性を有する材料で構成されている、
看板装置。
【請求項１４】
請求項１に記載の看板装置において、
前記ＬＥＤ基板は、前記情報表示面の全面を覆うように構成されている、
看板装置。
【請求項１５】
請求項１に記載の看板装置において、
前記看板本体の内部から前記情報表示面を照明する照明部を備え、
前記照明部が消灯されると、前記ＬＥＤディスプレイ装置は前記映像を表示する、
看板装置。
【請求項１６】
請求項１に記載の看板装置において、
それぞれの前記画素は、異なる色を発する複数の前記ＬＥＤ素子で構成されている、
看板装置。
【請求項１７】
請求項１に記載の看板装置において、
前記ＬＥＤディスプレイ装置と接続されたデータ送受信部を備え、
前記ＬＥＤディスプレイ装置は、前記データ送受信部を介してネットワークと接続されている、
看板装置。
【考案の詳細な説明】
【技術分野】
【０００１】
本考案は、看板装置に関する。
【背景技術】
【０００２】
街頭には、店舗用の看板や、広告用の看板が数多く設置されている。これらの看板には、例えば、建造物や支柱等に固定されたり、天井から吊り下げられた据え付け型の看板や、必要に応じて任意の場所へ移動可能な移動式の看板等が存在する。
【０００３】
例えば、特許文献１には、側部に複数の高輝度ＬＥＤが配列され、より均一に広告等の表示部を照らす内照式看板が開示されている。特許文献１の内照式看板は、例えば、各種施設内通路の天井から吊下されたり、建造物の壁面に設けられる、据え付け型の看板である。
【０００４】
また、特許文献２には、広告表示部分が薄くて見栄えが良く、また、看板全体が重いことによる取り扱い性の悪さが軽減され、更に、光源に電源を供給するための蓄電池に充電する際に電源コードを必要としない点で便利な、内照式スタンド看板が開示されている。特許文献２の内照式スタンド看板は、キャスターを備えた移動式の看板である。
【先行技術文献】
【特許文献】
【０００５】
【特許文献１】特開２０１３−１４８７３９号公報
【特許文献２】特開２０１４−５６０９３号公報
【考案の概要】
【考案が解決しようとする課題】
【０００６】
店舗用の看板は、主に営業時間内に使用されるが、営業時間外では、例えば、照明が消され使用されなくなる。また、広告用の看板には、使用時間の制約はないが、時間帯により、通行人の世代分布等が変動するため、すべての時間帯において広告の内容が有効であるとは限らない。
【０００７】
また、移動式看板の場合、営業時間外には、看板が店内に収容されてしまい、通行人は看板を認識することができなくなる。このように、看板には、使用状況によっては、その機能を十分に発揮することができない時間帯が存在する。
【０００８】
そこで、本考案は、時間帯によらず有効に使用することが可能な看板装置を提供することを目的とする。
【課題を解決するための手段】
【０００９】
本願において開示される考案のうち、代表的なものの概要を簡単に説明すれば、以下のとおりである。
【００１０】
本考案の代表的な実施の形態による看板装置は、看板本体と、看板本体の情報表示面に設置されたＬＥＤディスプレイ装置と、を備え、ＬＥＤディスプレイ装置は、透明なＬＥＤ基板と、ＬＥＤ基板の主面に設けられた複数のＬＥＤ素子と、複数のＬＥＤ素子で構成され、映像を表示する表示部と、を備えている。
【考案の効果】
【００１１】
本願において開示される考案のうち、代表的なものによって得られる効果を簡単に説明すれば以下のとおりである。
【００１２】
すなわち、本考案の代表的な実施の形態によれば、時間帯によらず有効に使用することが可能である。
【図面の簡単な説明】
【００１３】
【図１】本考案の実施の形態１に係る看板装置の構成の一例を示す図である。
【図２】本考案の実施の形態１に係るＬＥＤディスプレイ装置の構成の一例を示す平面図である。
【図３】本考案の実施の形態１に係るＬＥＤディスプレイ装置の表示部の構成の一例を拡大して示す平面図である。
【図４】本考案の実施の形態１に係るＬＥＤディスプレイ装置の表示部の構成の一例を拡大して示す断面図である。
【図５】本考案の実施の形態１に係るＬＥＤディスプレイ装置のコネクタの構成の一例を示す拡大図である。
【図６】本考案の実施の形態１に係るＬＥＤディスプレイ装置の制御基板の構成の一例を示す図である。
【図７】本考案の実施の形態１に係る看板装置の設置方法の例を示す図である。
【図８】本考案の実施の形態２に係る看板装置の構成の一例を示す図である。
【図９】本考案の実施の形態３に係る看板装置の構成の一例を示す図である。
【図１０】本考案の実施の形態４に係る複数のＬＥＤディスプレイ装置の設置方法の例を示す図である。
【考案を実施するための形態】
【００１４】
以下、本考案の実施の形態を図面に基づいて詳細に説明する。なお、実施の形態を説明するための全ての図において、同一部には原則として同一の符号を付し、その繰り返しの説明は省略する。
【００１５】
（実施の形態１）
＜看板本体の構成＞
図１は、本考案の実施の形態１に係る看板装置の構成の一例を示す図である。図１（Ａ）は、看板装置１の斜視図である。図１（Ｂ）は、看板装置１の断面図である。
【００１６】
看板装置１は、図１（Ａ）、（Ｂ）に示すように、看板本体２、ＬＥＤディスプレイ装置２００等を備えている。看板本体２は、例えば、図１（Ａ）に示すような横長の直方体や、縦長の直方体等の任意の形状に構成されている。看板本体２は、例えば、建造物の壁部に直接取り付けられている。
【００１７】
看板本体２の情報表示面２ａには、例えば、図１（Ａ）に示すように、店舗の屋号や広告等の各種情報（図１（Ａ）では「飲み屋」）が表示されている。また、情報表示面２ａだけでなく、例えば、情報表示面２ａの反対側の裏面２ｂ等の各面に情報が表示されてもよい。看板本体２を構成する各面は、例えば、透光性を備えた材料で構成されている。
【００１８】
看板本体２の内部には、例えば、図１（Ｂ）に示すように、照明部５を備えている。照明部５は、看板本体２の内部から看板本体２の各面（例えば、情報表示面２ａ）を照明する。照明部５は、例えば、ＬＥＤ（Ｌｉｇｈｔ  Ｅｍｉｔｔｉｎｇ  Ｄｉｏｄｅ）や、蛍光灯等で構成されている。
【００１９】
＜ＬＥＤディスプレイ装置の構成＞
［ＬＥＤ基板側の構成］
図２は、本考案の実施の形態１に係るＬＥＤディスプレイ装置の構成の一例を示す平面図である。図３は、本考案の実施の形態１に係るＬＥＤディスプレイ装置の表示部の構成の一例を拡大して示す平面図である。図４は、本考案の実施の形態１に係るＬＥＤディスプレイ装置の表示部の構成の一例を拡大して示す断面図である。図５は、本考案の実施の形態１に係るＬＥＤディスプレイ装置のコネクタの構成の一例を示す拡大図である。図５（Ａ）は、コネクタの平面図、図５（Ｂ）は、コネクタの断面図である。
【００２０】
図２では、後述するデータ線４０及び電源線５０等が省略されている。図３では、一部のＬＥＤ素子３０とその周囲の断面形状が模式的に示されている。なお、図３では、第１の主面１０ａに設けられた電源線５０が実線で示され、第１の主面１０ａとは異なる第２の主面１０ｂに設けられたデータ線４０が点線で示されている。図４では、ＬＥＤディスプレイ装置２００の表示部２０の一部が拡大して示されている。図５では、一部のコネクタが拡大して示されている。
【００２１】
ＬＥＤディスプレイ装置２００は、例えば、図２に示すように、ＬＥＤ基板１０、制御基板１１０を備えている。ＬＥＤ基板１０には、図４に示すように、例えば、表示部２０、データ線４０、電源線５０、コネクタ９０、ＬＥＤ保護層６０、接着層７０、保護層８０等が設けられている。
【００２２】
ＬＥＤ基板１０は、板状に形成された基板である。ＬＥＤ基板１０は、例えば、図２に示すような矩形状に形成されている。ただし、ＬＥＤ基板１０は、このような形状に限定されるものではなく、看板本体２の情報表示面２ａの形状に応じた所定の形状（例えば、円形、楕円形等）に形成されてもよい。また、ＬＥＤ基板１０は、看板本体２の情報表示面２ａの全面を覆うように構成されてもよい。また、ＬＥＤ基板１０は、例えば、情報表示面２ａの情報が表示された領域を切り取った形状に構成されてもよい。
【００２３】
ＬＥＤ基板１０は、可撓性を有する材料で構成されている。また、ＬＥＤ基板１０は、例えば、高耐熱性を有する材料で構成されている。本明細書において「高耐熱性を有する」とは、ＬＥＤ基板１０の温度が、例えば１６０℃程度に達しても、ＬＥＤ基板１０が変質せず、ＬＥＤディスプレイ装置２００が正常に動作することをいう。
【００２４】
また、ＬＥＤ基板１０は、透明な材料で構成されている。これにより、映像が表示される第１の主面１０ａとは反対側の第２の主面１０ｂ側から、ＬＥＤ基板１０を介して第１の主面１０ａ側が透けて見えるようになる。すなわち、ＬＥＤディスプレイ装置２００を介して、看板本体２の情報表示面２ａに表示された情報が透けて見える。
【００２５】
ＬＥＤ基板１０は、これらの特性を満たす、例えば、ＰＣＢ（Ｐｏｌｙ  Ｃｈｌｏｒｉｎａｔｅｄ  Ｂｉｐｈｅｎｙｌ：ポリ塩化ビフェニル)、ＰＥＴ（Ｐｏｌｙ  Ｅｔｈｙｌｅｎｅ  Ｔｅｒｅｐｈｔｈａｌａｔｅ：ポリエチレンテレフタラート）、ＰＩ（ｐｏｌｙｉｍｉｄｅ：ポリイミド）、ＰＥＮ（Ｐｏｌｙ  Ｅｔｈｙｌｅｎｅ  Ｎａｐｈｔｈａｌａｔｅ）等の樹脂、ガラス繊維及びエポキシ樹脂を組み合わせた素材（例えば、ＦＲ４（Ｆｌａｍｅ  Ｒｅｔａｒｄａｎｔ  Ｔｙｐｅ  ４））、シリコーン樹脂等の材料で構成されている。
【００２６】
ＬＥＤ基板１０の第１の主面（主面）１０ａには、図４に示すように、表示部２０、電源線５０等が設けられている。表示部２０は、静止画像や動画像等の映像を表示する。表示部２０には、図２に示すように、複数の画素２５がＸ−Ｙ平面上にマトリクス状に配置されている。それぞれの画素２５は、図３に示すように、例えば、異なる色を発する複数のＬＥＤ素子３０で構成されている。
【００２７】
具体的には、画素２５は、図３に示すように、例えば、赤色光を発するＬＥＤ素子３０Ｒと、緑色光を発するＬＥＤ素子３０Ｇと、青色光を発するＬＥＤ素子３０Ｂと、ＬＥＤ素子３０Ｘとからなる。なお、ＬＥＤ素子３０Ｘは、これらの色とは異なる色の光を発するものであってもよいし、これらの色のいずれかと同一の色を発するものであってもよい。
【００２８】
それぞれの画素２５では、図３に示すように、例えば、ＬＥＤ素子３０Ｒ、３０Ｇが、Ｘ軸方向に沿って隣接して配置され、ＬＥＤ素子３０Ｘ、３０Ｂが、Ｘ軸方向に沿って隣接して配置されている。また、ＬＥＤ素子３０Ｒ、３０Ｘが、Ｙ軸方向に沿って隣接して配置され、ＬＥＤ素子３０Ｇ、３０Ｂが、Ｙ軸方向に沿って隣接して配置されている。なお、それぞれの画素２５におけるＬＥＤ素子３０の配置は、図３に示す場合に限定されるものではない。また、それぞれの画素２５に設けられるＬＥＤ素子３０の個数は、画素２５ごとに異なっていてもよい。
【００２９】
ＬＥＤ基板１０の第１の主面１０ａには、図４に示すように、ＬＥＤ素子３０ごとにリード線４５が設けられている。それぞれのＬＥＤ素子３０は、図４に示すように、ワイヤー４６、５６を介してリード線４５、電源線５０とそれぞれ接続されている。ワイヤー４６、５６は、例えば金を主原料として構成されている。
【００３０】
電源線５０は、図４に示すように、ＬＥＤ基板１０の第１の主面１０ａに形成されている。電源線５０は、図３に示すように、複数のＬＥＤ素子３０に対して共通に設けられている。電源線５０は、例えば、Ｘ軸方向に沿って延在し、Ｘ軸方向に配置された一行分のＬＥＤ素子３０に対して共通に設けられている。詳しくは、電源線５０は、図３に示すＬＥＤ素子３０Ｒ、３０Ｇが配置された行、ＬＥＤ素子３０Ｘ、３０Ｂが配置された行のそれぞれに対して設けられている。このように、図３の例では、１つの画素２５に対して２本の電源線５０が配置されている。また、電源線５０は、図５（Ａ）に示すように、一方の端部がコネクタ９０まで延在して配置されている。
【００３１】
ＬＥＤ基板１０には、図４に示すように、第１の主面１０ａと第２の主面１０ｂとを貫通する貫通孔１５が形成されている。貫通孔１５は、例えば、それぞれのＬＥＤ素子３０に対応して設けられている。例えば、貫通孔１５は、図４に示すように、対応するＬＥＤ素子３０と接続されたリード線４５の配線領域に開口部が設けられるように形成されている。
【００３２】
ＬＥＤ基板１０の第１の主面１０ａと反対側の第２の主面１０ｂには、図４に示すように、複数のデータ線４０が設けられている。データ線４０は、例えば、ＬＥＤ素子３０ごとに設けられている。すなわち、データ線４０は、少なくともＬＥＤ素子３０の個数と同数設けられている。
【００３３】
データ線４０は、図３に示すように、平面視でＬＥＤ素子３０と交差してＹ軸方向に延在して配置されている。例えば、ＬＥＤ素子３０Ｒと接続されるデータ線４０Ｒ（４０）、及びＬＥＤ素子３０Ｘと接続されるデータ線４０Ｘ（４０）は、図３に示すように、ＬＥＤ素子３０Ｒ、３０Ｘの列に沿って延在して配置されている。また、これらのデータ線４０と並行して、この列には、その他の画素のＬＥＤ素子３０と接続されるデータ線４０も配置されている。また、ＬＥＤ素子３０Ｇと接続されるデータ線４０Ｇ（４０）、及びＬＥＤ素子３０Ｂと接続されるデータ線４０Ｂ（４０）は、図３に示すように、ＬＥＤ素子３０Ｇ、３０Ｂの列に沿って延在して配置されている。また、これらのデータ線４０と並行して、この列には、その他の画素のＬＥＤ素子３０と接続されるデータ線４０も配置されている。
【００３４】
データ線４０は、貫通孔１５を介してＬＥＤ素子３０と接続されている。例えば、データ線４０は、図４に示すように、貫通孔１５、リード線４５、ワイヤー４６を介してＬＥＤ素子３０と接続されている。また、データ線４０は、図５（Ａ）に示すように、一方の端部がコネクタ９０まで延在して配置されている。
【００３５】
データ線４０、電源線５０、リード線４５、貫通孔１５の金属層（図示せず）は、例えば、銅を主成分として構成されている。ここで、「銅を主成分」とは、これらの配線等が、ほとんど銅で構成されているが、不純物が混入されている場合も含まれることを意味する。
【００３６】
データ線４０（４０Ｒ、４０Ｇ、４０Ｂ、４０Ｘ）、及び電源線５０は、制御基板１１０に設けられた後述する制御部（コントローラ）１８０と接続されている。データ線４０（４０Ｒ、４０Ｇ、４０Ｂ、４０Ｘ）、及び電源線５０には、制御部１８０から所定の信号（例えば電位）が出力される。それぞれのＬＥＤ素子３０は、データ線４０（４０Ｒ、４０Ｇ、４０Ｂ、４０Ｘ）、電源線５０から供給される信号に基づいた所定の動作を行う。これにより、表示部２０は、静止画像や動画像の映像を表示する。
【００３７】
なお、これまでの説明では、データ線４０がＬＥＤ基板１０の第２の主面１０ｂ、電源線５０がＬＥＤ基板１０の第１の主面１０ａに設けられた場合について説明したが、このような構成に限定されるものではない。例えば、データ線４０が第１の主面１０ａに設けられてもよいし、電源線５０が第２の主面１０ｂに設けられてもよい。また、データ線４０及び電源線５０が、同一面に設けられてもよい。また、データ線４０及び電源線５０が、並行して設けられてもよい。
【００３８】
ＬＥＤ基板１０の第１の主面１０ａには、図４に示すように、ＬＥＤ素子３０を覆うようにＬＥＤ保護層６０が設けられている。ＬＥＤ保護層６０は、例えば、ＬＥＤ素子３０及びワイヤー４６、５６等を覆うように設けられている。ＬＥＤ保護層６０は、透明性、絶縁性、延性を備えた材料（例えば、エポキシ樹脂、シリコーン樹脂等）で構成されている。
【００３９】
ＬＥＤ保護層６０は、例えば、画素２５ごとに設けられてもよいし、ＬＥＤ素子３０ごとに設けられてもよい。また、ＬＥＤ保護層６０は、複数の画素２５を覆うように設けられてもよい。また、ＬＥＤ保護層６０は、第１の主面１０ａのほぼ全面を覆うように設けられてもよい。
【００４０】
ＬＥＤ基板１０の第２の主面１０ｂ側には、図４に示すように、保護層８０が設けられている。保護層８０は、データ線４０、ＬＥＤ基板１０を覆うように設けられ、これらを保護する。保護層８０は、例えば、透明性、延性を有する材質で構成されている。
【００４１】
ＬＥＤ基板１０の第２の主面１０ｂ側には、図４に示すように、接着層７０が設けられている。接着層７０は、図４に示すように、例えば、保護層８０上に積層されている。接着層７０は、例えば、透明性、延性を有する材質で構成されている。
【００４２】
なお、本実施の形態では、例えば、ＬＥＤ基板１０の第２の主面１０ｂ側に、データ線４０、電源線５０等の各種配線が配置された配線基板が積層されてもよい。このような構成であっても、データ線４０及び電源線５０の一方の端部がコネクタ９０に配置されていればよい。
【００４３】
ＬＥＤ基板１０には、コネクタ９０が設けられている。コネクタ９０は、図２、図５に示すように、例えば、ＬＥＤ基板１０の第１の主面１０ａ（第２の主面１０ｂ）に沿ってＬＥＤ基板１０から突出して設けられている。また、ＬＥＤ基板１０には、図２に示すように、複数のコネクタ９０が設けられてもよい。例えば、ＬＥＤ基板１０が、図２に示すように、平面視において矩形状に構成され、複数のコネクタ９０が、ＬＥＤ基板１０の一辺１０Ｌに沿って設けられている。それぞれのコネクタ９０は、制御基板１１０に設けられた後述するソケット１９０と対応するように配置されている。
【００４４】
コネクタ９０には、上述したように、データ線４０及び電源線５０の一方の端部が配置されている。これらデータ線４０及び電源線５０の端部は、図５（Ｂ）に示すように、コネクタ９０の第１の主面９０ａ、第２の主面９０ｂの両方に配置されてもよいし、いずれかの主面のみに設けられてもよい。
【００４５】
コネクタ９０は、例えば、ＬＥＤ基板１０と同じ材料で構成されている。また、コネクタ９０は、例えば、ＬＥＤ基板１０と別体で構成され、ＬＥＤ基板１０と接続されてもよいし、ＬＥＤ基板１０と一体で構成されてもよい。
【００４６】
以下では、ＬＥＤ基板１０に貫通孔１５、データ線４０、リード線４５、電源線５０を形成する工程の概略について説明する。まず、ＬＥＤ基板１０に対して、例えば、レーザーが照射されると、貫通孔１５が形成される。貫通孔１５は、例えば、ＬＥＤ素子３０が配置される位置と、リード線４５の位置とを考慮した所定の位置に形成される。
【００４７】
次に、例えば、メッキ工程により、例えば銅を主成分とする金属層が貫通孔１５の側壁に形成される。なお、メッキ工程により、貫通孔１５が金属層で埋められても構わない。
【００４８】
次に、ＬＥＤ基板１０の第１の主面１０ａに、リード線４５及び電源線５０が形成される。例えば、スパッタリング等の成膜工程により、例えば銅を主成分とする金属層が形成される。そして、あらかじめ規定された配線パターンに基づいて金属層がパターニングされると、リード線４５及び電源線５０が形成される。
【００４９】
次に、第２の主面１０ｂに対して、データ線４０が形成される。データ線４０は、第１の主面１０ａにリード線４５及び電源線５０が形成されたときと同様の工程により形成されるので、詳細な説明は省略する。なお、第２の主面１０ｂにデータ線４０が形成された後、第１の主面１０ａにリード線４５及び電源線５０が形成されてもよい。また、これらの工程により、ＬＥＤ基板１０に対するデータ線４０等の形成と、コネクタ９０に対するデータ線４０及び電源線５０の形成と、が同時に行われてもよい。
【００５０】
［制御基板側の構成］
図６は、本考案の実施の形態１に係るＬＥＤディスプレイ装置の制御基板の構成の一例を示す図である。図６（Ａ）は平面図であり、図６（Ｂ）は断面図である。なお、図６は、制御基板１１０の一部を拡大して示している。制御基板１１０には、図２、図６（Ａ）、（Ｂ）に示すように、例えば、ソケット１９０、制御部１８０等が設けられている。また、制御基板１１０には、図６（Ａ）、（Ｂ）に示すように、配線パターン１９３が設けられている。
【００５１】
制御基板１１０は、例えば、板状に形成された基板である。制御基板１１０は、例えば、ＬＥＤ基板１０に設けられたコネクタ９０の位置や、ＬＥＤ基板１０の形状等に基づいて所定の形状に構成される。例えば、制御基板１１０は、図２に示すように、ＬＥＤ基板１０の一辺１０Ｌに沿って延在して設けられている。制御基板１１０は、ＬＥＤ基板１０側の一辺がＬＥＤ基板１０に沿うように形成されていれば、任意の形状に構成されてもよい。また、制御基板１１０は、ＬＥＤ基板１０と同じ材料で構成されてもよい。
【００５２】
制御基板１１０には、図２、図６（Ａ）、（Ｂ）に示すように、ソケット接続部１９０Ａが設けられている。ソケット接続部１９０Ａは、制御基板１１０と一体で構成されてもよいし、制御基板１１０と別体で構成されてもよい。
【００５３】
それぞれのソケット接続部１９０Ａには、図２、図６（Ａ）、（Ｂ）に示すように、ソケット１９０がそれぞれ接続されている。ソケット１９０は、図６（Ｂ）に示すように、制御基板１１０の第１の主面１１０ａに設けられている。それぞれのソケット１９０は、図２に示すように、それぞれのコネクタ９０と対応して設けられている。
【００５４】
それぞれのソケット１９０には、図６（Ｂ）に示すように、コネクタ差し込み部１９１が設けられている。コネクタ差し込み部１９１の第１のコネクタ接触面１９１ａ及び第１のコネクタ接触面１９１ａと対向する第２のコネクタ接触面１９１ｂには、コネクタ９０に配置されたデータ線４０及び電源線５０と対応させた所定の配線パターン１９２ａ、１９２ｂがそれぞれ形成されている。
【００５５】
コネクタ９０がソケット１９０のコネクタ差し込み部１９１に挿入されると、コネクタ９０のデータ線４０及び電源線５０は、配線パターン１９２ａ、１９２ｂの各配線とそれぞれ接続される。また、コネクタ９０及びソケット１９０は、互いに着脱自在に構成されており、ＬＥＤディスプレイ装置２００では、ＬＥＤ基板１０及び制御基板１１０の組み合わせが任意に変更されてもよい。
【００５６】
制御基板１１０の第１の主面１１０ａには、図６（Ｂ）に示すように、配線パターン１９３が形成されている。配線パターン１９３は、例えば、ソケット１９０の配線パターン１９２ａ、１９２ｂの各配線と対応するように形成されている。なお、配線パターン１９３は、制御基板１１０の第２の主面１１０ｂに形成されてもよい。なお、配線パターン１９２ａ、１９２ｂ、１９３は、例えば、銅を主成分して構成されている。ここで、「銅を主成分」とは、これらの配線等が、ほとんど銅で構成されているが、不純物が混入されている場合も含まれることを意味する。
【００５７】
制御基板１１０の第１の主面１１０ａには、図６（Ｂ）に示すように、制御部１８０が設けられている。制御部１８０は、例えば、ドライブＩＣ（Ｉｎｔｅｇｒａｔｅｄ  Ｃｉｒｃｕｉｔ）等の制御装置等で構成されている。制御部１８０は、配線パターン１９３の各配線と接続されている。すなわち、制御部１８０は、配線パターン１９３、１９２ａ、１９２ｂを介して、コネクタ９０のデータ線４０及び電源線５０と接続されている。制御部１８０は、ソケット１９０及びコネクタ９０を介してデータ線４０及び電源線５０に所定の信号を出力する。
【００５８】
制御部１８０は、例えば、表面実装技術（ＳＭＴ：Ｓｕｒｆａｃｅ  Ｍｏｕｎｔ  Ｔｅｃｈｎｏｌｏｇｙ）を用いて制御基板１１０に実装される。また、制御部１８０は、図２に示すように、例えば、ソケット１９０（コネクタ９０）ごとに設けられてもよいし、複数のソケット１９０（コネクタ９０）で共通に設けられてもよい。また、制御部１８０は、図２、図６（Ａ）に示すようにそれぞれのソケット１９０（コネクタ９０）に対して複数個設けられてもよい。また、制御部１８０は、例えば、制御基板１１０の第２の主面１１０ｂに設けられてもよいし、第１の主面１１０ａ及び第２の主面１１０ｂの両面に設けられてもよい。
【００５９】
制御基板１１０の第１の主面１１０ａには、図６（Ｂ）に示すように、保護層１８５が設けられている。保護層１８５は、配線パターン１９３を覆うように設けられている。なお、制御基板１１０の第２の主面１１０ｂに配線パターンが形成された場合には、第２の主面１１０ｂの配線パターンを覆う保護層が別途設けられる。保護層１８５は、上述した保護層８０と同様であるので、ここでは詳細な説明を省略する。
【００６０】
制御基板１１０は、例えば、図示しない周辺装置と接続され、表示部２０は、周辺装置から入力される映像データに基づいて映像を表示してもよい。また、制御基板１１０は、例えば、図示しないデータ格納部を備え、周辺装置から入力された映像データを格納してもよい。
【００６１】
制御基板１１０は、例えば、情報表示面２ａ以外の看板本体２に設置されている。例えば、制御基板１１０は、図１に示す看板本体２の上面２ｄ等に設置されている。
【００６２】
＜看板装置の使用方法＞
次に、看板装置１の使用方法の例について説明する。まず、第１の例として、店舗の営業時間内には、看板装置１は、看板本体２の情報表示面２ａの情報のみを表示し、ＬＥＤディスプレイ装置２００による映像表示を停止する。また、看板装置１は、看板本体２の内部に設けられた照明部５を点灯してもよい。このとき、通行人には、情報表示面２ａの情報がＬＥＤディスプレイ装置２００を介して透けて見える。
【００６３】
そして、営業時間外には、照明部５が消灯され、ＬＥＤディスプレイ装置２００による映像表示を行う。ＬＥＤディスプレイ装置２００は、例えば、店舗とは関係のない広告用の映像等を表示してもよい。
【００６４】
また、第２の例として、店舗の営業時間内に、看板装置１は、ＬＥＤディスプレイ装置２００に情報表示面２ａの情報と関連した映像を表示する。これにより、看板装置１は、情報表示面２ａの情報とＬＥＤディスプレイ装置２００の映像とを連携させて通行人に情報を提供する。ＬＥＤディスプレイ装置２００には、例えば、情報表示面２ａの情報と関連する映像や、情報表示面２ａの情報を強調する映像等が表示される。
【００６５】
また、店舗用ではない広告用の看板装置１では、ＬＥＤディスプレイ装置２００には、例えば、情報表示面２ａの情報と連携した広告用の映像が表示される。あるいは、ＬＥＤディスプレイ装置２００による映像表示のオン・オフが所定の時間で切り替えられることにより、看板装置１は、情報表示面２ａの情報とＬＥＤディスプレイ装置２００の映像に関する情報とを交互に通行人に提供してもよい。
【００６６】
＜看板装置の設置方法＞
次に、看板装置１の設置方法について説明する。図７は、本考案の実施の形態１に係る看板装置の設置方法の例を示す図である。図７（Ａ）は、看板装置１が建造物の壁部に取り付けられている様子を示す。図７（Ｂ）、（Ｃ）は、看板装置１が地上に設置されている様子を示す。
【００６７】
図７（Ａ）の例では、看板装置１は、建造物１０００の壁部１０００ａに設置されている。例えば、看板装置１は、看板装置１を支持する看板支持部１ａを介して建造物１０００の壁部１０００ａに設置されている。なお、看板装置１は、建造物１０００以外にも、例えば、支柱等に設置されてもよい。
【００６８】
一方、図７（Ｂ）の例では、看板装置１は、看板装置１を支持する看板支持部１ｂを介して地上に設置されている。また、図７（Ｃ）の例では、看板装置１は、看板支持部１ｂ及び車輪１ｃを介して地上に設置されている。図７（Ｃ）の看板装置１は、移動式の看板装置であり、例えば、店舗の出入口付近等に設置される。なお、図７（Ｂ）、（Ｃ）では、看板装置１が地上に設置されている場合について示されているが、これ以外にも、看板装置１は、屋内や室内の床面等に設置されてもよい。
【００６９】
また、図示は省略するが、看板装置１は、例えば、看板装置１を吊り下げる看板吊り下げ部材を介して天井から吊り下げられてもよい。
【００７０】
＜本実施の形態による効果＞
本実施の形態によれば、看板本体２の情報表示面２ａに透明なＬＥＤ基板１０を有するＬＥＤディスプレイ装置２００が設置されている。この構成によれば、看板本体２の情報と、ＬＥＤディスプレイ装置２００が表示する映像とが切り替えられるので、時間帯によらず有効に使用することが可能な看板装置１が提供される。
【００７１】
また、本実施の形態によれば、ＬＥＤ基板１０の第１の主面１０ａ側には、ＬＥＤ素子３０、ワイヤー４６、５６を覆うＬＥＤ保護層６０が設けられている。この構成によれば、ＬＥＤ素子３０、ワイヤー４６、５６に対する衝撃が緩和されるので、断線の発生が抑えられ、信頼性を向上させたＬＥＤディスプレイ装置２００が提供される。
【００７２】
また、本実施の形態によれば、接着層７０が設けられている。この構成によれば、接着層７０を介して、ＬＥＤディスプレイ装置２００が情報表示面２ａと接続されるので、構成を簡素化させた看板装置１が提供される。
【００７３】
また、本実施の形態によれば、ＬＥＤディスプレイ装置２００は、ＬＥＤ基板１０と制御基板１１０とを備え、制御基板１１０に設けられた制御部１８０が、ソケット１９０、コネクタ９０を介してＬＥＤ基板１０に設けられたデータ線４０及び電源線５０に所定の信号を出力する。
【００７４】
この構成によれば、制御部１８０等の構成要素が、制御基板１１０に設けられることとなるので、ＬＥＤ基板１０の構成が簡略化される。これにより、ＬＥＤ基板１０側のＬＥＤディスプレイ装置２００の厚みが小さくなり、ＬＥＤディスプレイ装置２００の取扱い、設置作業が容易になる。また、これにより、看板本体２の情報表示面２ａに表示された情報の視認性が向上する。
【００７５】
また、この構成によれば、ＬＥＤディスプレイ装置２００は、別体で構成されたＬＥＤ基板１０と、制御基板１１０とが組み合わされているので、不具合のある基板を交換することが可能となる。これにより、製造時におけるＬＥＤディスプレイ装置２００の不良率が低下し、製造コストが低減される。また、これにより、使用中に不具合が発生しても、新たな部品に交換すればよいので、製品管理が容易なＬＥＤディスプレイ装置２００が提供される。また、基板ごとの設計が容易となり、それぞれの基板の製造工程が短縮されるので、製造時における基板の負荷が軽減され、不良率がより低減される。
【００７６】
また、本実施の形態によれば、コネクタ９０は、ＬＥＤ基板１０の第１の主面１０ａに沿ってＬＥＤ基板１０から突出するように設けられている。この構成によれば、平面視で制御基板１１０と表示部２０とが重ならないので、映像の視認性を損なわずに、ＬＥＤ基板１０と制御基板１１０とが接続されたＬＥＤディスプレイ装置２００が提供される。
【００７７】
また、本実施の形態によれば、制御基板１１０は、看板本体の情報表示面２ａ以外の看板本体２に設置されている。この構成によれば、制御基板１１０がＬＥＤディスプレイ装置２００の前方に配置されないので、情報表示面２ａの情報及びＬＥＤディスプレイ装置２００の映像の視認性が損なわれない。
【００７８】
また、本実施の形態によれば、ＬＥＤ基板１０は、複数のコネクタ９０を有し、制御基板１１０は、複数のコネクタ９０のそれぞれと対応する複数のソケット１９０を備えている。
【００７９】
この構成によれば、表示部２０におけるＬＥＤ素子３０（画素２５）の位置に応じて、データ線４０及び電源線５０をそれぞれのコネクタ９０へ振り分けることができるので、配線の取り回しが容易なＬＥＤディスプレイ装置２００が提供される。また、この構成によれば、ＬＥＤ基板１０が複数のコネクタ９０で制御基板１１０と接続されるので、それぞれのコネクタ９０に掛かる物理的な負荷が軽減される。これにより、断線等の不具合の発生が抑えられ、信頼性を向上させたＬＥＤディスプレイ装置２００が提供される。
【００８０】
また、本実施の形態によれば、ＬＥＤ基板１０は、平面視において矩形状に構成され、複数のコネクタ９０がＬＥＤ基板１０の一辺１０Ｌに沿って設けられている。また、制御基板１１０は、ＬＥＤ基板１０の一辺１０Ｌに沿って延在し、複数のコネクタ９０のそれぞれと対応する複数のソケット１９０を備えている。
【００８１】
この構成によれば、ＬＥＤ基板１０と制御基板１１０との間隔が一定に保たれるので、それぞれのコネクタ９０に掛かる物理的な負荷が均等になる。これにより、断線等の不具合の発生がより抑えられ、信頼性をより向上させたＬＥＤディスプレイ装置２００が提供される。また、これにより、取扱いが容易となる。
【００８２】
また、本実施の形態によれば、コネクタ９０はＬＥＤ基板１０と一体で構成されている。この構成によれば、ＬＥＤ基板１０とコネクタ９０とを接続する必要がなくなるので、ＬＥＤ基板１０とコネクタ９０との境界部分の強度が向上する。これにより、信頼性を向上させたＬＥＤディスプレイ装置２００が提供される。
【００８３】
また、本実施の形態によれば、データ線４０、リード線４５、電源線５０、配線パターン１９２ａ、１９２ｂ、１９３は、銅を主成分として構成されている。この構成によれば、これらの配線に安価な材料が利用されるので、製造コストが低減される。
【００８４】
また、本実施の形態によれば、ＬＥＤ基板１０は、高耐熱性を有する材質で構成されている。この構成によれば、ＬＥＤ素子３０が高温状態となった場合でもＬＥＤ基板１０が変質しないので、動作性能を向上させたＬＥＤディスプレイ装置２００が提供される。
【００８５】
また、本実施の形態によれば、ＬＥＤ基板１０が可撓性を有する材質で構成されている。この構成によれば、設置場所に合わせて任意に変形されるので、設置場所の自由度を向上させたＬＥＤディスプレイ装置２００が提供される。例えば、ＬＥＤ基板１０は、ＬＥＤディスプレイ装置２００の設置場所に応じて任意の形状に変形できるので、制御基板１１０の設置が容易となる。
【００８６】
また、本実施の形態によれば、ＬＥＤ基板１０は、透明な材料で構成されている。この構成によれば、情報表示面２ａに表示された情報がＬＥＤディスプレイ装置２００を介して透けて見えるので、看板本体２による情報表示と、ＬＥＤディスプレイ装置２００による映像表示とを両立させた看板装置１が提供される。
【００８７】
また、本実施の形態によれば、ＬＥＤ基板１０は、情報表示面２ａの全面を覆うように構成されている。この構成によれば、情報表示面２ａの全面に映像が表示されるので、情報表示面２ａを有効に利用した映像表示が行われる。
【００８８】
また、本実施の形態によれば、看板本体２の内部に照明部５を備え、照明部５が消灯されると、ＬＥＤディスプレイ装置２００は映像を表示する。この構成によれば、後方から映像が照明されないので、映像の視認性が向上する。
【００８９】
また、本実施の形態によれば、それぞれの画素２５は、異なる色を発する複数のＬＥＤ素子３０で構成されている。この構成によれば、画素２５ごとにさまざまな色を表示させることが可能となるので、映像の品質が向上する。
【００９０】
（実施の形態２）
次に、本考案の実施の形態２について説明する。なお、以下では、前述の実施の形態と重複する箇所については、原則としてその説明を省略する。
【００９１】
図８は、本考案の実施の形態２に係る看板装置の構成の一例を示す図である。図８（Ａ）は、看板装置３０１の全体の構成を示す図である。図８（Ｂ）は、保持部材３０８を拡大して示す図である。図８（Ｃ）は、看板本体２の裏面２ｂ側から保持部材３０８を拡大して示す図である。
【００９２】
看板装置３０１は、図８（Ａ）〜（Ｃ）に示すように、ＬＥＤディスプレイ装置２００を保持する保持部材３０８を備えている。保持部材３０８は、図８（Ａ）に示すように、例えば、看板本体２の情報表示面２ａを取り囲むように設けられている。また、保持部材３０８の看板本体２の上面２ｄ側の端部３０８ａは、図８（Ｂ）に示すように、例えば、上面２ｄに向かってＬ字型に形成されている。そして、保持部材３０８の端部３０８ａは、上面２ｄに設置されている。すなわち、保持部材３０８は、端部３０８ａにより看板本体２の上面２ｄに引っ掛けられている。保持部材３０８は、例えば、ＬＥＤディスプレイ装置２００を挟み込むように保持している。
【００９３】
看板本体２の上面２ｄでは、図８（Ｃ）に示すように、ＬＥＤディスプレイ装置２００のコネクタ９０が保持部材３０８の端部３０８ａから突出している。保持部材３０８から突出したコネクタ９０は、図８（Ｃ）に示すように、ソケット１９０を介して制御基板１１０と接続されている。
【００９４】
保持部材３０８は、例えば、アルミニウムを主原料として構成されている。保持部材３０８は、例えば、ＬＥＤディスプレイ装置２００に応じた所定の厚み（例えば、２ｍｍ程度）で構成されている。なお、本実施の形態においては、ＬＥＤディスプレイ装置２００に、接着層７０が設けられていなくてもよい。
【００９５】
本実施の形態によれば、前述の実施の形態における効果に加え、以下の効果が得られる。本実施の形態によれば、情報表示面２ａに、ＬＥＤディスプレイ装置２００を保持する保持部材３０８が設けられている。この構成によれば、ＬＥＤディスプレイ装置２００は、保持部材３０８により保持されるので、より確実に情報表示面２ａに設置される。
【００９６】
また、本実施の形態によれば、保持部材３０８が、アルミニウムを主原料として構成されている。この構成によれば、保持部材３０８が軽量化されるので、保持部材３０８と看板本体２との接続部分に掛かる負荷が低減されるので、保持部材３０８の落下が抑えられる。また、保持部材３０８の製造コストが低減される。
【００９７】
（実施の形態３）
次に、本考案の実施の形態３について説明する。なお、以下では、前述の実施の形態と重複する箇所については、原則としてその説明を省略する。
【００９８】
図９は、本考案の実施の形態３に係る看板装置の構成の一例を示す図である。看板装置４０１は、図９に示すように、データ送受信部４０９を備えている。データ送受信部４０９は、例えば、制御基板１１０の制御部１８０等と接続されている。データ送受信部４０９は、図９に示すように、例えば、無線ルータ２０１０を介してネットワーク２０００と接続されている。データ送受信部４０９は、ネットワーク２０００を介して、例えば、周辺機器等と接続され、周辺機器との間で映像データ等の送受信を行う。また、データ送受信部４０９は、入力された映像データを制御部１８０等へ出力する。また、制御部１８０は、入力された映像データに基づいた所定の信号を出力し、表示部２０に所定の映像を表示させる。
【００９９】
本実施の形態によれば、看板装置４０１は、ネットワーク２０００と接続されたデータ送受信部４０９を備えている。この構成によれば、看板装置４０１がネットワーク２０００と接続されるので、映像データの送受信が容易に行われる。また、これにより、ネットワーク２０００を介してＬＥＤディスプレイ装置２００を操作することが可能となるので、ＬＥＤディスプレイ装置２００に表示される映像が、遠隔操作により切り替えられる。これにより、看板装置１の管理が容易になる。
【０１００】
（実施の形態４）
次に、本考案の実施の形態４について説明する。なお、以下では、前述の実施の形態と重複する箇所については、原則としてその説明を省略する。本実施の形態では、看板装置１に複数のＬＥＤディスプレイ装置２００が用いられる場合について説明する。
【０１０１】
図１０は、本考案の実施の形態４に係る複数のＬＥＤディスプレイ装置の設置方法の例を示す図である。図１０（Ａ）は、２枚のＬＥＤディスプレイ装置２００の設置例が示されている。図１０（Ｂ）は、４枚のＬＥＤディスプレイ装置２００の設置例が示されている。このように、本実施の形態では、看板本体２の情報表示面２ａに複数のＬＥＤディスプレイ装置２００が設置されている。
【０１０２】
複数のＬＥＤディスプレイ装置２００は、図１０（Ａ）、（Ｂ）に示すように、例えば、それぞれの表示部２０が隣接して配置されている。このように、隣接する複数の表示部２０が組み合わされて、よりサイズが大きい表示部２０Ａ、２０Ｂが構成される。ＬＥＤディスプレイ装置２００の枚数は、看板本体２の情報表示面２ａのサイズに応じて適宜決定される。また、それぞれのＬＥＤディスプレイ装置２００の形状は、同一であってもよいし、互いに異なっていてもよい。
【０１０３】
制御基板１１０は、図１０（Ａ）、（Ｂ）に示すように、例えば、ＬＥＤディスプレイ装置２００ごとに設けられてもよい。また、複数のＬＥＤディスプレイ装置２００に共通の制御基板１１０が設けられてもよい。
【０１０４】
制御部１８０は、例えば、表示部２０Ａ、２０Ｂを１つの表示部として映像を表示させる。例えば、複数の制御部１８０が設けられている場合、これらの制御部１８０が互いに協調し、所定の映像を表示させる。
【０１０５】
なお、複数のＬＥＤディスプレイ装置２００が互いに離れて設置されても構わない。例えば、情報表示面２ａに表示された情報を挟んでＬＥＤディスプレイ装置２００が設置されてもよい。このとき、複数のＬＥＤディスプレイ装置２００は、例えば、情報表示面２ａの情報と組み合わせた映像を表示してもよい。
【０１０６】
本実施の形態によれば、看板本体２の情報表示面２ａに、複数のＬＥＤディスプレイ装置２００が設けられている。この構成によれば、ＬＥＤディスプレイ装置２００の枚数を増やすことができるので、看板本体２のサイズが大きくなっても、情報表示面２ａを確実に覆うことが可能となる。
【０１０７】
また、本実施の形態によれば、複数のＬＥＤディスプレイ装置２００は、それぞれの表示部２０が隣接するように配置されている。この構成によれば、それぞれの表示部２０を組み合わせて、大きいサイズの表示部２０Ａ、２０Ｂが構成される。これにより、表示部２０Ａ、２０Ｂを１つの表示部とした映像が表示されるので、より大きな映像が表示される。
【０１０８】
以上、本考案について説明したが、本考案は、上述の実施の形態に限定されるものではなく、例えば、これらの実施の形態が組み合わされてもよい。
【符号の説明】
【０１０９】
１…看板装置、２…看板本体、２ａ…情報表示面、５…照明部、１０…ＬＥＤ基板、２０…表示部、３０…ＬＥＤ素子、４０…データ線、５０…電源線、９０…コネクタ、１１０…制御基板、１９０…ソケット、２００…ＬＥＤディスプレイ装置、３０１…看板装置、３０８…保持部材、４０１…看板装置、４０９…データ送受信部、２０００…ネットワーク
【図１】
0003210218.tif 000003
【図２】
0003210218.tif 000004
【図３】
0003210218.tif 000005
【図４】
0003210218.tif 000006
【図５】
0003210218.tif 000007
【図６】
0003210218.tif 000008
【図７】
0003210218.tif 000009
【図８】
0003210218.tif 000010
【図９】
0003210218.tif 000011
【図１０】
0003210218.tif 000012